(57)【要約】【課題】使用中においても指の動きに制限を受けず、冤罪防止にも有効な手袋を得る。【解決手段】人差し指、中指、薬指を覆うことができる袋状の部分２と、袋状の部分２から延び出ていて手の平に沿わせることができる延長部分３と、延長部分３の先端縁に沿って設けられていて手首に巻き付けることができる帯状の部分５と、を有し、少なくとも袋状の部分２の表面は、接触した相手の衣類の組織を捕捉可能な表面である。【選択図】図１
0003222931.tif 000002
【実用新案登録請求の範囲】
【請求項１】
人差し指、中指、薬指を覆うことができる袋状の部分と、
前記袋状の部分から延び出ていて手の平に沿わせることができる延長部分と、
前記延長部分の先端縁に沿って設けられていて手首に巻き付けることができる帯状の部分と、を有し、
少なくとも前記袋状の部分の表面は、接触した相手の衣類の組織を捕捉可能な表面である手袋。
【請求項２】
前記延長部分は、人差し指、中指、薬指を覆うことができる一つの袋からなる請求項１記載の手袋。
【請求項３】
前記延長部分は、人差し指、中指、薬指を個別に覆うことができる三つの袋からなる請求項１記載の手袋。
【請求項４】
前記接触した相手の組織を捕捉可能な表面は、面ファスナーの片側の面形状と同じ形状に加工されている請求項１、２または３記載の手袋。
【請求項５】
前記帯状の部分は、手首に巻き付けるのに十分な長さを有するとともに、巻き重ねた状態を維持する面ファスナーを有する請求項１乃至４のいずれかに記載の手袋。
【請求項６】
前記延長部分の表面も、接触した相手の組織を捕捉可能な表面である請求項１乃至５のいずれかに記載の手袋。
【考案の詳細な説明】
【技術分野】
【０００１】
本考案は、電車などの中で、痴漢の嫌疑を晴らすのに有効な手袋に関するものである。
【背景技術】
【０００２】
満員電車などの中で男女が隣り合わせになっていると身体が互いに接触せざるを得ず、男性が不自然な姿勢になると、痴漢の嫌疑をかけられかねない事態が日常的に生じている。一旦嫌疑がかけられると、やっていないことを証明することは困難なため、それを晴らすことは容易ではなく、理不尽な罪を着せられる可能性がある。
【０００３】
このような事態に陥らないようにするために、手袋に面ファスナーの片側を張り付け、痴漢行為があったとき、被害者の衣類の繊維片や皮膚の一部が付着するようにした痴漢冤罪防止手袋が提案されている（例えば、特許文献１参照）。この手袋は、痴漢行為をするとその証拠が手袋に残るので、この手袋を使用している者は痴漢行為を行うことはなく、仮に嫌疑がかけられても、身の潔白を証明できる、というものである。
【０００４】
【特許文献１】実用新案登録第３１５６４４６号公報
【考案の開示】
【考案が解決しようとする課題】
【０００５】
特許文献１記載の考案は、手袋の背面すなわち手の甲側にハードカバーを取り付けて手指の動きを制限し、痴漢行為を困難にするものである。そして、手袋の内面側すなわち手の平側に前記面ファスナーの片側を張り付けたものである。
【０００６】
特許文献１に記載されている痴漢冤罪防止手袋によれば、ハードカバーが使用されているため、この手袋を使用しているときは手指の動きが制限され、例えば電車内でつり革などを掴むことが制限される難点がある。デザイン面でも制約を受ける。
【０００７】
本考案は、以上述べたような従来技術の問題点にかんがみてなされたもので、使用中においても指の動きに制限を受けず、冤罪防止にも有効な手袋を提供することを目的とする。
【課題を解決するための手段】
【０００８】
本考案は、
人差し指、中指、薬指を覆うことができる袋状の部分と、
前記袋状の部分から延び出ていて手の平に沿わせることができる延長部分と、
前記延長部分の先端縁に沿って設けられていて手首に巻き付けることができる帯状の部分と、を有し、
少なくとも前記袋状の部分の表面は、接触した相手の衣類の組織を捕捉可能な表面であることを最も主要な特徴とする。
【考案の効果】
【０００９】
本考案に係る手袋によれば、使用中においても指の動きが制限されず、日常の行動が可能である。痴漢の嫌疑がかけられた場合、袋状の部分に、相手の衣類の組織が捕捉されていないことを確認することによって嫌疑を晴らすことができる。
【考案を実施するための最良の形態】
【００１０】
以下、本考案に係る手袋の実施例を、図面を参照しながら説明する。
【００１１】
図１および図２において、符号１は、本考案に係る手袋の実施例を示している。符号１１，１２，１３，１４，１５は、それぞれ人の右手の親指、人差し指、中指、薬指、小指を示している。手袋１は、人差し指１２、中指１３、薬指１４のみを覆うことができる袋状の部分２を有している。袋状の部分２からは、手の平に沿わせることができる延長部分３が延び出ている。
【００１２】
袋状の部分２に人差し指１２、中指１３、薬指１４を挿入した状態で、前記延長部分３は手首１６の位置まで達する長さを有している。延長部分３の先端縁には、この先端縁部に沿って帯状の部分５が設けられている。帯状の部分５の長さは、前記延長部分３の幅すなわち前記延長部分３の先端縁部の長さよりも長くなっていて、帯状の部分５を手首１６に巻き付けることができるようになっている。
【００１３】
少なくとも前記袋状の部分２の表面は、衣類などに接触することによって、接触対象例えば衣類の組織を捕捉可能な表面になっている。この表面の例として、面ファスナーの片側の面形状と同じ形状に加工するとよい。
【００１４】
図３および図４は表面形状の例を示しており、図３は面ファスナーの片側の形状の例を、図４は面ファスナーの他方の形状の例を示す。いずれの例も、基材６の表面に起毛加工が施されて、基材６から無数の毛が密集して立ち上がっている。図３は、無数の毛の先端が折り返されたフック状の毛７の例を示している。図４は、無数の毛がループを描き、毛の両端が基材６に結合したループ状の毛８の例を示している。
【００１５】
本考案に使用する少なくとも前記袋状の部分２の表面形状ないしは表面構造は、接触対象の組織を捕捉可能な表面になっておればよく、図３および図４に示す形状ないしは構造に限られるものではない。
【００１６】
図示の実施例では、接触対象の組織を捕捉可能な表面は、前記袋状の部分２の表面のみでなく、前記延長部分３の表面も含む手袋１のほぼ全体の表面を、接触した相手の組織を捕捉可能な表面形状ないしは表面構造にしてもよい。
【００１７】
前記帯状の部分５は、前述の通り、手首１６に巻き付けるのに十分な長さを有するとともに、巻き重ねた状態を維持する面ファスナーを有している。したがって、袋状の部分２に人差し指１２、中指１３、薬指１４を挿入し、延長部分３を手の平に沿わせ、帯状の部分５を手首１６に巻き付けて前記面ファスナーを結合させることにより、手袋１を手に装着した状態を維持することができる。
【００１８】
以上のように構成された手袋１は、電車やバスなどの乗り物を利用するときに装着するとよい。混雑した乗り物の中では、手袋１が女性の衣服に接触しないようにする。手袋１が女性の衣服などに接触すると、接触した衣服などの組織を捕捉可能な表面が、相手の衣服などの繊維を捕捉し、手袋１に相手と接触した証拠が残る。混雑した乗り物の中では、手袋１が女性の衣服に接触しないようにしておけば、仮に痴漢の嫌疑がかけられたとしても、手袋１を検証すれば女性の衣服に接触しなかったと推定することができ、嫌疑を晴らすことができる。
【００１９】
実施形態に係る手袋１を使用していると、痴漢行為を行うとその証拠が残るので、手袋１を使用することは、痴漢行為は行わないことを宣言したものとみなすことができる。したがって、手袋１を使用することにより、痴漢行為を抑制する効果がある。
【００２０】
手袋１が相手の衣服などに接触したか否かの検証は、繊維その他の捕捉物をＤＮＡ鑑定するなどの手段を用いて行うことができる。
【００２１】
図示の実施例では、袋状の部分２が人差し指１２、中指１３、薬指１４の３本の指を一括して挿入する一つの袋からなっていたが、袋状の部分は前記３本の指を個別に挿入する三つの袋からなるものであってもよい。
【００２２】
図示の実施例は右手用の手袋であるが、左手用の手袋も同様に構成される。左右の手袋を同時に使用することにより、冤罪を回避する効果がより一層高まる。手袋の素材は柔軟性のある素材を使用することができ、手袋を使用することによって日常的な動作や作業などが制限されることはない。さらに、手袋のデザインを工夫して、日常的な使用にも違和感のないようにするとよい。
【００２３】
手袋１の素材は、夏季に使用するものであれば通気性のよい素材とし、冬季に使用するものであれば保温性の良い素材とすればよい。また、カラフルな素材にしてファッション性を高めたデザインにするとよい。
【産業上の利用可能性】
【００２４】
本考案に係る手袋は、もともと痴漢の冤罪を回避する目的で考案された。しかし、形状がユニークであることから、ファッション性を重視した手袋としても製造し販売することもできる。
【図面の簡単な説明】
【００２５】
【図１】本考案に係る手袋の実施形態を示す図であって、前記手袋を右手に装着した様子を手の平側から見た図である。
【図２】前記手袋を右手に装着した様子を手の甲側から見た図である。
【図３】前記手袋の表面の構造の一例を拡大して模式的に示す断面図である。
【図４】前記手袋の表面の構造の別の例を拡大して模式的に示す断面図である。
【符号の説明】
【００２６】
１    手袋
２    袋状の部分
３    延長部分
５    帯状の部分
【図１】
0003222931.tif 000003
【図２】
0003222931.tif 000004
【図３】
0003222931.tif 000005
【図４】
0003222931.tif 000006